(57)【要約】【課題】ブラジャーに使用する通気性のある弾性薄型カップ組合せ構造を提供する。【解決手段】主にブラジャーの前部胸部シートに二つの相対する通気素材カップを設け、各カップはいずれも前部布シート及び相対して後部布シートを併設する。主に高分子薄型層を前部布シート及び後部布シートの間に併設接合し、且つ高分子薄型層のに多数の通気穴を設け、該前部布シート及び後部布シートと相対して合い通じるようにすることで、軽く薄い特性及び通気性を兼ね備えると共に、弾性塑性力を発揮し、変形せず、つけ心地がよく、通気性抜群且つ胸部を美化するブラジャーの通気性弾性薄型カップ組合せ構造。【選択図】  図４
0003139146.tif 000002
【実用新案登録請求の範囲】
【請求項１】
二つの通気性素材のカップを含み、
該ブラジャーの前部胸部シートに二つの相対して通気性素材のカップを設け、
各カップはいずれも前部布シート及び相対して併設する後部布シートを含み、
高分子薄型層を該前部布シート及び後部布シートの間に併設接合し、該高分子薄型層に多数の通気孔を設け、該前部布シート及び後部布シートと相対的に連通することを特徴とするブラジャーに使用する通気性のある弾性薄型カップ組合せ構造。
【請求項２】
前記ブラジャーの前部胸部シート及び二つのカップの前部布シートは同じ生地から作られることを特徴とする請求項1記載のブラジャーに使用する通気性のある弾性薄型カップ組合せ構造。
【請求項３】
前記ブラジャーの二つのカップの前部布シート及び後部布シートはそれぞれ前面及び後面を具有し、該高分子薄型層を前部布シートの後面及び、後部布シートの前面の間に接合することを特徴とする請求項1或いは請求項2記載のブラジャーに使用する通気性のある弾性薄型カップ組合せ構造。
【請求項４】
前記高分子薄型層の厚みを0.1〜1mmに設定することを特徴とする請求項3記載のブラジャーに使用する通気性のある弾性薄型カップ組合せ構造。
【請求項５】
前記高分子薄型層を発泡体とすることを特徴とする請求項3記載のブラジャーに使用する通気性のある弾性薄型カップ組合せ構造。
【請求項６】
前記前部布シート及び高分子薄型層両者の下段の間に、内部に流体を充填した密閉袋を併設接合し、該密閉袋は前部布シートの後面に粘着することを特徴とする請求項3記載のブラジャーに使用する通気性のある弾性薄型カップ組合せ構造。
【請求項７】
前記後部布シートと高分子薄型層両者の下段の間に、内部に流体を充填する密閉袋を併設接合し、該密閉袋は該後部布シートの前面に粘着することを特徴とする請求項3記載のブラジャーに使用する通気性のある弾性薄型カップ組合せ構造。
【請求項８】
前記ブラジャーの二つのカップの前部布シート及び後部布シートの間に、二枚の高分子薄型層を併設接合し、該二枚の高分子薄型層の互いの下段の間に、内部に流体を充填した密閉袋を併設接合することを特徴とする請求項3記載のブラジャーに使用する通気性のある弾性薄型カップ組合せ構造。
【請求項９】
前記二枚の高分子薄型層の間に二枚の通気性のある布シートを併設接合し、該二枚の通気性のある布シートの、それぞれの下段の間に、該密閉袋を併設接合することを特徴とする請求項8記載のブラジャーに使用する通気性のある弾性薄型カップ組合せ構造。
【考案の詳細な説明】
【技術分野】
【０００１】
本考案はブラジャーに使用する通気性のある弾性薄型カップ組合せ構造に関し、特に女性のブラジャーに使用する通気性のある弾性薄型カップ組合せの構造に関する。
【背景技術】
【０００２】
一般的にブラジャーは女性の胸部を美化するためにあるもの。それの主体は基本的に左右一対のカップ及び背中のベルトやストラップを設け、女性がそれを着用する。
【０００３】
従来技術のブラジャーの薄型カップの構造では、前後二層の織物を接合して作成し、前部が凸型、後部が凹型の形状を形成し、表面に生地層を縫い合わせることもできる。
【０００４】
薄型カップは前後二層の織物を接合して作成しているため、薄型のカップの弾性塑性力が足りず、触感も悪く変形しやすい。
【０００５】
従来技術のカップは、前後二層の織物の間にスポンジシート或いは綿のシートを併設することで、弾性塑性力を高めた。しかし、このようなスポンジシート或いは綿のシートの厚みは極薄化することができず、カップの厚みが厚すぎるため、薄型カップの使用目的に合致しない。例えスポンジシート或いは綿シートを極薄化できたとしても、該弾性塑性力は理想的なものではないため、上述の技術を改善する必要があった。
【特許文献１】登録実用新案第３１１８０７６号明細書
【考案の開示】
【考案が解決しようとする課題】
【０００６】
前記従来技術の欠点を解決するため、本考案は主にカップの前後布シートの間に、多数の通気孔を含む高分子の薄型層をつなぎ合わせることで、軽く薄い特性及び通気性を兼ね備えながら、弾性塑性力を発揮し、変形せず、使い心地がよく、通気性もあり、胸部を美化する機能を持つブラジャーの通気性のある弾性薄型カップ組合せ構造を提供することを主な課題とする。
【課題を解決するための手段】
【０００７】
前記課題を解決するため、本考案のブラジャーの前部胸部シートに二つの相対する通気素材のカップを設ける。各カップにいずれも前部布シートと相対して設置する後部布シートを含む。その特徴は、高分子の薄型層を前部布シート及び後部布シートの間に併設接合し、該高分子薄型層は多数の通気孔を設け、相対的に該前部布シート及び後部布シートに連通する。
【０００８】
実施可能例では、該ブラジャーの前部胸部シート及び二つのカップの前部布シートは同じ生地で作成している。
【０００９】
最良実施例の中で、該ブラジャーの二つのカップの前部布シート及び後部布シートはそれぞれ前後面を具有し、該高分子薄型層を前部布シートの後面及び後部布シートの前面の間に接合する。
【００１０】
前記高分子の薄型層の厚みを0.1〜1mmに設ける。
【００１１】
前記高分子薄型層を発泡体にする。
【００１２】
前記前部布シート或いは後部布シートと高分子薄型層の両者下段の間に、内部に流体を入れた密閉袋を併設接合する。該密閉袋を該前部布シートの後面或いは、後部布シートの前面に粘着して設置する。
【００１３】
別の実施例では、該ブラジャーカップの前部布シート及び後部布シートの間に二枚の高分子薄型層を併設接合し、二枚の高分子薄型層のそれぞれの下段の間に、内部に流体を入れた密閉袋を併設接合している。
【考案の効果】
【００１４】
本考案は主にカップの前後布シートの間に、多数の通気孔を含む高分子の薄型層を併設接合することで、軽く薄い特性及び通気性を兼ね備えながら、弾性塑性力を発揮し、変形せず、使い心地がよく、通気性抜群且つ胸部を美化することができる。
また、流体を充填した密閉袋を付加することで、胸部を集中してアップすることもできる。
【考案を実施するための最良の形態】
【００１５】
本考案によるブラジャーに使用する通気性のある弾性薄型カップ組合せ構造を明確に示すために図に沿って詳細な説明を行う。
【００１６】
図１に示すのは、本考案ブラジャー10は同様に女性の胸部の形に合わせてデザインしたものである。ブラジャー10の前部胸部シート11の上に左右一対のカップ20、21を縫い合わせ、及び左右一対のベルト12、13及び一対のストラップ14，15を連結する。本考案のブラジャー10は主に一対のカップ20、21を軽い薄型の通気性を持つ弾力性のある構造にすることで、軽く、薄い特性及び通気性と弾性塑性力を持つものにする。
【００１７】
ブラジャー10の薄型カップ20、21は同じ弾性のある通気性構造を採用しているため、一つのカップ20のみを例に挙げて説明する。図１〜図４に示す最良実施例の中で、該カップ20は前から後ろ向かって接合した前部布シート22及び、高分子薄型層24と後部布シート23を含む。また、従来技術のように、カップ20、21内部の下側にワイヤー30、31を入れ、前部布シート22の前縁に美しく見せる表面の布層(図に未掲載)を縫い合わせる。
【００１８】
本考案のブラジャー10は二つの相対する通気性素材のカップ20、21を採用し、各カップ20、21は通気性のある前部布シート22及び相対して併設する通気性のある後部布シート23を含むほか、主に該高分子薄型層24を該前部布シート22及び後部布シート２3の間に併設接合する。該高分子薄型層24は全面的に多数の通気孔25を設け、該前部布シート22及び後部布シート23と相対し、連通している。該カップ20、21は前後布シート22、23の間に多数の通気孔25を含む高分子薄型層24を併設するため、軽く薄い特性と通気性を持ち、且つその弾性塑性力を発揮して、変形せず、つけ心地がよく、通気性があり、胸部の形を美化する。
【００１９】
図１〜図４に示すブラジャー10の構造の中、二つの通気性のある弾性薄型カップ20、21は組み合わせて前部胸部シート11の上に縫い付けられる。また、該ブラジャー10の前部胸部シート11及び二つのカップ20、21の前部布シート22を一枚生地を使ってブラジャーを作成することができる。本考案のブラジャー10の通気性のある弾性薄型カップ20、21の構造の中、二つの薄型カップ20、21の前部布シート22及び後部布シート23はそれぞれ前面26、27及び後面28、29を具有し、該高分子薄型層24は前部布シート22の後面28及び後部布シート23の前面27の間に接合する。また、高分子薄型層24は網版印刷とプレスの方法と合わせ、確実に前面布シート22及び後面布シート23と接合するのがベストである。
【００２０】
最良実施例では、本考案のブラジャー10は通気性のある弾性薄型カップ20、21の組合せ構造に基づいて設計する。高分子薄型層24の最適な厚みを0.1〜1mmに設け、極薄型及び弾性塑性力を兼ね備えるようにする。また、該高分子薄型層24に予め発泡剤を添加し、発泡体に成型する。高分子薄型層24はポリスチレン、プロピレン−ブタジエン−スチレン樹脂、ポリアミド樹脂、ポリエチレン  テレフタレート、ポリブチレン  テレタラート、ポリフェニレン  スルフィド、ポリエーテルケトン、ポリイミド、シリコーン、アクリル樹脂、繊維素樹脂、ポリビニルアセタール、ポリウレタン、ポリグリコール樹脂、フェノール樹脂など、いずれの組合せでも良い。
【００２１】
図５及び図６に示す第二実施例は、前部布シート22或いは後部布シート23と高分子薄型層24両者の下段の間に、内部に流体41を充填した密閉袋40を併設接合する。該密閉袋40を該前部布シート22の後面28或いは後部布シート23の前面27に粘着する。該密閉袋40は二枚の強靭性のあるフィルムを加熱プレスして密閉している。該内部にオイル液、空気、水或いは粉状乳液などの流体41を充填することで、胸部の形を集中してアップする。
【００２２】
図７に示す第三の実施例では、カップ20の前部布シート22及び後部布シート23の間に、二枚の高分子薄型層24を併設接合し、二枚の高分子薄型層24のそれぞれの下段の間に、内部に流体41を充填した密閉袋40を併設接合する。図８に示す第四の実施例では、該二枚の高分子薄型層24の間に、二枚の通気性のある布シート221、231を併設接合し、二枚の通気性のある布シート221、231のそれぞれの下段の間に、該密閉袋40を併設接合する。
【００２３】
本考案はカップ20、21が前後布シート22、23の間に、多数の通気孔25を含む高分子薄型層24を併設するため、軽く薄い特性及び通気性を兼ね備えると同時に、弾性塑性力を発揮し、変形せず、つけ心地が良いうえに通気性がよく、胸部の形を美化することができる。
【００２４】
以上の実施例による本考案の詳細な説明は本考案の範囲を制限するものではない。本技術に熟知する者が簡単な変化及び修正及び調整を行っても本考案の重要な意義は失われず、本考案の範囲に含まれる。
【図面の簡単な説明】
【００２５】
【図１】本考案の最良実施例のブラジャーの立体図である。
【図２】図1のカップの断面図である。
【図３】図2の前後布シート及び高分子薄型層の、カップの形状で分離状態を示す略図である。
【図４】図2のカップの局部拡大図である。
【図５】図2のカップに密閉袋を加えた第二実施例の断面図である。
【図６】図5密閉袋の別のつけ方実施例である。
【図７】本考案の第二実施例のカップの断面図である。
【図８】本考案の第三実施例のカップの断面図である。
【符号の説明】
【００２６】
10ブラジャー
11前部胸部シート
12  ベルト
13  ベルト
14  ストラップ
15  ストラップ
20  カップ
21  カップ
22  前部布シート
23  後部布シート
24  高分子薄型層
25  通気孔
26  前面
27  前面
28  後面
29  後面
30  ワイヤー
31  ワイヤー
40  密閉袋
41  流体
221  通気性布シート
231  通気性布シート
【図１】
0003139146.tif 000003
【図２】
0003139146.tif 000004
【図３】
0003139146.tif 000005
【図４】
0003139146.tif 000006
【図５】
0003139146.tif 000007
【図６】
0003139146.tif 000008
【図７】
0003139146.tif 000009
【図８】
0003139146.tif 000010